(57)【要約】【課題】剥離シートを有効利用することができる隠蔽はがきを提供する。【解決手段】隠蔽はがき１０は、はがき本体部１１と、記入欄１２ａを有する記入シート１２と、はがき本体部１１に連接され、記入欄１２ａを隠蔽する隠蔽部１３と、隠蔽部１３上に設けられ、記入シート１２と隠蔽部１３とを再剥離再貼付可能に粘着する再粘着再剥離糊１４と、再粘着再剥離糊１４上に設けられ、再粘着再剥離糊１４を保護する剥離シート１５とを備え、剥離シート１５は、表面側に案内表示部１５ａを備え、裏面側に記入欄１２ａに記入する内容の控えとなる控え情報を表示する控え情報表示部を備える。【選択図】図１
2009160817.tif 000002
【特許請求の範囲】
【請求項１】
記入欄を有するはがき部と、
前記はがき部に連接され、前記記入欄を隠蔽する隠蔽部と、
前記隠蔽部上に設けられ、前記はがき部と前記隠蔽部とを再剥離再貼付可能に粘着する再剥離再貼付粘着剤層と、
前記再剥離再貼付粘着剤層上に設けられ、前記再剥離再貼付粘着剤層を保護する剥離シートとを備え、
前記剥離シートは、前記記入欄に記入する内容の控えとなる控え情報を表示する控え情報表示部を備えること、
を特徴とする隠蔽はがき。
【請求項２】
請求項１に記載の隠蔽はがきにおいて、
前記剥離シートと、この隠蔽はがきの前記剥離シート以外の部分とには、同一の又は対応した識別情報が表示されていること、
を特徴とする隠蔽はがき。
【請求項３】
請求項１又は請求項２に記載の隠蔽はがきにおいて、
前記控え情報表示部は、前記剥離シートの前記再剥離再貼付粘着剤層側の面に設けられていること、
を特徴とする隠蔽はがき。
【発明の詳細な説明】
【技術分野】
【０００１】
本発明は、隠蔽はがきに関するものである。
【背景技術】
【０００２】
従来、隠蔽はがきは、記入欄に記入する個人情報やアンケート内容などの記入内容を隠す目的で使用されている（例えば、特許文献１）。
しかし、このような隠蔽はがきに使用されている剥離シートは、粘着層を保護する役割を果たしているが、使用後には不要となり、有効利用されていなかった。
【特許文献１】特開２００７−２７６１４３号公報
【発明の開示】
【発明が解決しようとする課題】
【０００３】
本発明の課題は、剥離シートを有効利用することができる隠蔽はがきを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、記入欄（１２ａ）を有するはがき部（１１，１２）と、前記はがき部（１１，１２）に連接され、前記記入欄（１２ａ）を隠蔽する隠蔽部（１３）と、前記隠蔽部（１３）上に設けられ、前記はがき部（１１，１２）と前記隠蔽部（１３）とを再剥離再貼付可能に粘着する再剥離再貼付粘着剤層（１４）と、前記再剥離再貼付粘着剤層（１４）上に設けられ、前記再剥離再貼付粘着剤層（１４）を保護する剥離シート（１５）とを備え、前記剥離シート（１５）は、前記記入欄（１２ａ）に記入する内容の控えとなる控え情報を表示する控え情報表示部（１５ｂ）を備えること、を特徴とする隠蔽はがき（１０）である。
請求項２の発明は、請求項１に記載の隠蔽はがき（１０）において、前記剥離シート（１５）と、この隠蔽はがき（１０）の前記剥離シート（１５）以外の部分（１２）とには、同一の又は対応した識別情報（ＢＣ）が表示されていること、を特徴とする隠蔽はがき（１０）である。
請求項３の発明は、請求項１又は請求項２に記載の隠蔽はがき（１０）において、前記控え情報表示部（１５ｂ）は、前記剥離シート（１５）の前記再剥離再貼付粘着剤層（１４）側の面に設けられていること、を特徴とする隠蔽はがき（１０）である。
【発明の効果】
【０００５】
本発明によれば、以下のような効果がある。
（１）剥離シートは、記入欄に記入する内容の控えとなる控え情報を表示する控え情報表示部を備えるので、剥離シートを剥がした後は、その剥離シートが控えとなり、剥離シートを有効利用することができる。
（２）剥離シートと、この隠蔽はがきの剥離シート以外の部分とには、同一の又は対応した識別情報が表示されているので、剥離シートとそれ以外の部分とでマッチングを行うことができる。
（３）控え情報表示部は、剥離シートの再剥離再貼付粘着剤層側の面に設けられているので、剥離シートの裏面を無駄なく活用することができる。
【発明を実施するための最良の形態】
【０００６】
以下、図面等を参照して、本発明の実施形態について、さらに詳しく説明する。
（実施形態）
図１は、本発明による隠蔽はがきの実施形態を示す図であって、図１（Ａ）は、平面図であり、図１（Ｂ）は、Ｂ−Ｂ断面図である。図２は、剥離シート１５の裏面を示す図である。
図１に示すように、本実施形態の隠蔽はがき１０は、２つ折りのはがきタイプのものであり、はがき本体部１１と、記入シート１２と、隠蔽部１３と、再粘着再剥離糊（再剥離再貼付粘着剤層）１４と、剥離シート１５と、保護層１６と、第１の透け防止層１７と、第２の透け防止層１８と、印刷層１９などとを備える。
また、隠蔽はがき１０は、３つの用紙から構成されており、記入シート１２は、１枚目の用紙であり、剥離シート１５は、２枚目の用紙であり、はがき本体部１１と隠蔽部１３とは、３枚目の用紙である。
１枚目及び３枚目の用紙は、連量が５５Ｋｇの上質紙や、連量が５５ｋｇ以上のコート紙により形成されている。２枚目の用紙は、連量が４５Ｋｇの上質紙や、連量が５５ｋｇ以上のコート紙により形成されている。
【０００７】
はがき本体部１１は、はがきの本体となる部分であり、図中の裏面側に宛名欄を備える。
記入シート１２は、強接着糊ｓによってはがき本体部１１に剥離不可能に貼り合わされ、表面側にアンケート，住所，氏名，電話番号などを記入する記入欄１２ａを備える。
また、はがき本体部１１と記入シート１２とによって、はがき部を構成しており、この部分は、２〜６ｇになるように構成してある。
【０００８】
隠蔽部１３は、ミシン目ｍを介してはがき本体部１１に連接され、使用時に、記入シート１２の記入欄１２ａを隠蔽する部分である。
再粘着再剥離糊１４は、隠蔽部１３上に設けられ、記入シート１２と隠蔽部１３とを再剥離再貼付可能に粘着する糊である。
再粘着再剥離糊１４は、第２の透け防止層１８が無い場合と同様の粘着力を持たせるように塗布条件を調整する必要がある。これは、第２の透け防止層１８がある分だけ、粘着力が弱まるからである。再粘着再剥離糊１４は、主に糊の成分と水の成分とで構成されているので、例えば、水の成分を減らすことによって、粘着力を高めることができる。
【０００９】
剥離シート１５は、再粘着再剥離糊１４上に設けられ、使用時まで再粘着再剥離糊１４を保護するシートである。
また、剥離シート１５は、図中の表面側に案内表示部１５ａを備え、図中の裏面側（再粘着再剥離糊１４側の面）に、記入欄１２ａに記入する内容の控えとなる控え情報を表示する控え情報表示部１５ｂを備える（図２参照）。
控え情報表示部１５ｂに表示する内容は、例えば、「アンケートにご回答済みです。抽選の結果、プレゼントがもらえる可能性があります。」などである。このような表示により、利用者は、自分がアンケートに回答したという事実を忘れないようにすることができる。
さらに、剥離シート１５と、記入シート１２とには、同一のバーコード情報（識別情報）ＢＣが表示されている。
保護層１６は、再粘着再剥離糊１４と剥離シート１５との間に設けられ、再粘着再剥離糊１４の糊残りを防止するための層である。
【００１０】
第１の透け防止層１７は、はがき本体部１１と記入シート１２との間であって、はがき本体部１１の略全面に設けられ、記入欄１２ａの透けを防止する印刷層である。
第２の透け防止層１８は、隠蔽部１３と剥離シート１５との間であって、記入欄１２ａの住所欄，氏名欄，電話番号欄に対応する部分に設けられ、記入欄１２ａの透けを防止する印刷層である。
また、各透け防止層は、全ベタ印刷層、絵柄印刷層、地紋印刷層、濃い色の印刷層のうち少なくとも１つを含む層によって形成されている。
印刷層１９は、この隠蔽はがき１０の表面と裏面とに設けられ、絵柄や文字などを表示している層である。
【００１１】
次に、隠蔽はがき１０の使用方法について説明する。
まず、記入欄１２ａに必要事項を記入する。
ついで、剥離シート１５を剥がし、再粘着再剥離糊１４を表出させる。利用者は、剥離シート１５を保管しておく。
さらに、ミシン目ｍで隠蔽はがき１０を２つ折りし、再粘着再剥離糊１４によって隠蔽部１３を記入シート１２上に貼り付け、記入欄１２ａを隠蔽する。
最後に、はがきとして投函する。
【００１２】
このように、本実施形態によれば、以下のような効果がある。
（１）剥離シート１５は、記入欄１２ａに記入する内容の控えとなる控え情報を表示する控え情報表示部１５ｂを備えるので、剥離シート１５を剥がした後は、その剥離シート１５が控えとなり、剥離シート１５を有効利用することができる。
（２）剥離シート１５と、記入シート１２とには、同一のバーコード情報ＢＣが表示されているので、例えば、利用者が控えとしての剥離シート１５をイベント会場に持参するなどすれば、バーコード情報ＢＣに基づいて、はがきとして送付した隠蔽はがき１０とマッチングを行うことができる。
（３）控え情報表示部１５ｂは、剥離シート１５の再粘着再剥離糊１４側の面に設けられているので、剥離シート１５の裏面を無駄なく活用することができる。
【００１３】
（４）はがき本体部１１の第１の透け防止層１７と、隠蔽部１３の第２の透け防止層１８とによって、記入欄１２ａを両側から挟みこんで隠蔽することができ、記入欄１２ａに記入した記入内容を確実に隠蔽することができる。
（５）各透け防止層は、全ベタ印刷層、絵柄印刷層、地紋印刷層、濃い色の印刷層のうち少なくとも１つを含む層であるので、印刷によって簡単に各透け防止層を形成することができる。
（６）第１の透け防止層１７は、はがき本体部１１と記入シート１２との間に設けられているので、第１の透け防止層１７の存在を隠しつつ、はがき本体部１１の裏面や記入シート１２の表裏面を有効利用することができる。
（７）第２の透け防止層１８は、隠蔽部１３と剥離シート１５との間に設けられているので、使用時までは第２の透け防止層１８の存在を隠しつつ、隠蔽部１３の裏面や剥離シート１５の表裏面を有効利用することができる。
【００１４】
（変形形態）
以上説明した実施形態に限定されることなく、種々の変形や変更が可能であって、それらも本発明の範囲内である。
（１）はがき部は、はがき本体部１１と記入シート１２とによって構成する例で説明したが、はがき本体部１１のみで構成するようにしてもよい。
（２）識別情報は、同一のバーコード情報ＢＣの例で説明したが、１対１に対応するバーコード情報であってもよく、また、数字などの識別番号であってもよい。
（３）識別情報は、記入シート１２に設ける例で説明したが、はがき本体部１１や隠蔽部１３などに設けてもよい。
【００１５】
（４）第１の透け防止層１７は、はがき本体部１１の略全面に設ける例で説明したが、記入欄１２ａに対応する部分だけに設けてもよい。このようにすれば、製造コストを抑えることができる。
（５）第１の透け防止層１７は、記入欄１２ａの住所欄，氏名欄，電話番号欄に対応する部分に設ける例で説明したが、記入欄１２ａのアンケート欄に対応する部分に設けてもよい。
（６）第２の透け防止層１８は、記入欄１２ａに対応する部分に設ける例で説明したが、隠蔽部１３の略全面に設けてもよい。このようにすれば、隠蔽効果をより向上させることができる。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００１６】
【図１】本発明による隠蔽はがきの実施形態を示す図である。
【図２】剥離シート１５の裏面を示す図である。
【符号の説明】
【００１７】
１０  隠蔽はがき
１１  はがき本体部
１２  記入シート
１２ａ  記入欄
１３  隠蔽部
１４  再粘着再剥離糊（再剥離再貼付粘着剤層）
１５  剥離シート
１５ａ  案内表示部
１５ｂ  控え情報表示部
１６  保護層
１７  第１の透け防止層
１８  第２の透け防止層
１９  印刷層
ＢＣ  バーコード情報（識別情報）
ｍ  ミシン目
ｓ  強接着糊
【図１】
2009160817.tif 000003
【図２】
2009160817.tif 000004